(57)【要約】      （修正有）【課題】効率よく施工でき、外観上も良好な開閉扉が設けられた防音壁を提供する。【解決手段】防音壁１を構成する開閉扉２は、上下横枠材３１、３２と左右縦枠材３３、３４とで矩形状に枠組みされた枠体３内に扉本体４が設けられ、開閉扉２の上横枠材３１に防音パネル６を直接載置するので、従来のようなＨ型鋼からなる上部横梁が不要であり、隣り合う支柱５のそれぞれのフランジ間に左右縦枠材３３、３４を挿入し設置した開閉扉２の上方から、一般に用いられる防音パネル６を支柱５のそれぞれのフランジ間に落とし込むだけで、効率よく施工することができ、また、外観上も良好なものとすることができる。【選択図】        図１
2007191977.tif 000002
【特許請求の範囲】
【請求項１】
所定間隔をおいて列設された断面Ｈ形の支柱間に防音パネルが差し渡され、且つ所定の支柱間において、道路内への出入用に供される開閉扉が差し渡されると共に、その開閉扉の上に防音パネルが差し渡された防音壁であって、前記開閉扉は上下横枠材と左右縦枠材とで矩形状に枠組みされた枠体内に扉本体が設けられ、前記上横枠材に防音パネルが直接載置されていることを特徴とする防音壁。
【請求項２】
上横枠材の上部に、防音パネルの下部形状と嵌合される形状の嵌合枠部が設けられていることを特徴とする請求項１に記載の防音壁。
【発明の詳細な説明】
【技術分野】
【０００１】
本発明は、高速道路等に沿って設置される防音壁であって、点検や緊急避難のために一定間隔おきに開閉扉が設けられ、道路内への出入用に供されるようになされた防音壁に関するものである。
【背景技術】
【０００２】
従来、防音壁に設けられる開閉扉としては、通常固定扉と移動扉が対をなしていて、移動扉をレールに沿って引戸式に移動させることで出入口を開閉できるようになされた、例えば特許文献１に記載されるような防音壁の開閉扉がある。
【０００３】
この開閉扉は、Ｈ型鋼からなる支柱が所定の間隔で立設され、隣り合う支柱のフランジ間に長方形の防音パネルが落とし込まれると共に、所定の支柱間には、この防音パネルに代えて差し渡されているものである。
さらに詳細に説明すると、この開閉扉は、上下横枠材と左右縦枠材とで矩形状に枠組みされた枠体内において、道路側から見て、その右側に固定扉が配置され、左側に引戸式の移動扉が設けられて構成されており、そして上横枠材が、隣り合う支柱にわたって架設されたＨ型鋼からなる上部横梁のフランジ間に支持され、左右縦枠材が支柱のフランジ間に挿入支持されているものである。固定扉と移動扉は、上部横桟と下部横桟と左右縦桟とがパネルを取囲んで設けられている。また、移動扉にあっては、取っ手が設けられ、該取っ手を操作して、移動扉を左右に移動することにより、開閉されるようになされている。
【０００４】
【特許文献１】特開２００４−２１１４５８号公報
【発明の開示】
【発明が解決しようとする課題】
【０００５】
かように、上横枠材がＨ型鋼からなる上部横梁により支持されており、そしてこの上部横梁はその上に重量物であるコンクリート製の遮音パネルが設置されるようになされている。
しかしながら、かかる防音壁の開閉扉においては、上記のような重量物であるコンクリート製の遮音パネルを設置する場合において有効であるが、一般に用いられているグラスウール等の吸音材を内蔵した吸音パネルや透光性を有する合成樹脂板をアルミ合金製枠体内に収めた透光性遮音パネルが設置される場合には、吸音パネルや透光性遮音パネルの重量はコンクリート製遮音パネルに比べ大幅に軽量であるにもかかわらず、上部横梁を設置し、その上に吸音パネル等を施工していたため、施工に無駄が生じ手間を要していた。
【０００６】
そこで本発明は上記の如き問題点を解消し、効率よく施工でき、外観上も良好な開閉扉が設けられた防音壁を提供せんとするものである。
【課題を解決するための手段】
【０００７】
上記目的を達成するために、本発明は次のような構成としている。
すなわち、本発明に係る防音壁は、所定間隔をおいて列設された断面Ｈ形の支柱間に防音パネルが差し渡され、且つ所定の支柱間において、道路内への出入用に供される開閉扉が差し渡されると共に、その開閉扉の上に防音パネルが差し渡された防音壁であって、前記開閉扉は上下横枠材と左右縦枠材とで矩形状に枠組みされた枠体内に扉本体が設けられ、前記上横枠材に防音パネルが直接載置されていることを特徴とするものである。
【発明の効果】
【０００８】
本発明によれば、開閉扉の上横枠材に防音パネルを直接載置するので、従来のようなＨ型鋼からなる上部横梁が不要であり、隣り合う支柱のそれぞれのフランジ間に左右縦枠材を挿入し設置した開閉扉の上方から、一般に用いられる防音パネルを支柱のそれぞれのフランジ間に落とし込むだけで、効率よく施工することができ、また、外観上も良好なものとすることができる。
【０００９】
又、上横枠材の上部に、防音パネルの下部形状と嵌合される形状の嵌合枠部を設けておけば、防音パネルを開閉扉の上横枠材にガタつかせることなく、安定的に載置させることができる。
【発明を実施するための最良の形態】
【００１０】
本発明に係る実施の形態について、図面に基づき以下に具体的に説明する。
すなわち、図１は本発明に係る防音壁の実施の一形態を示す正面図、図２は図１の一部省略した縦断面図、図３は図２の部分拡大図である。
【００１１】
１は高速道路に沿って設けられた防音壁であり、２は高速道路内への出入用に供される開閉扉であって、この開閉扉２は、上横枠材３１と下横枠材３２と左縦枠材３３と右縦枠材３４とで矩形状に枠組みされた枠体３内に、扉本体４が設けられ、扉本体４は、道路側から見て、その右側に固定扉４１が配置され、左側に引戸式の移動扉４２が設けられて構成されている。そして、この開閉扉２は、左縦枠材３３と右縦枠材３４とが隣り合うＨ型鋼の支柱５のフランジ５１間に挿入支持されている。そして、開閉扉２の上には防音パネル６が直接載置され、その左右端部が、前記開閉扉２と同様にして、隣り合うＨ型鋼の支柱５のフランジ５１間に挿入支持されている。
【００１２】
固定扉４１と移動扉４２と防音パネル６は、複数の開口が形成された前面側の有孔板ａと、裏面側の遮音板ｂと、内部に充填されたグラスウール等の吸音材ｃとから構成されて吸遮音性を有しているものであるが、枠体等に支持されたポリカーボネート等の透光性合成樹脂板やガラス板等が装着されて透光性且つ遮音性を有するものであってもよく、特に限定されるものではない。
【００１３】
移動扉４２は、吸遮音性を有する部分が上部横桟４３と下部横桟４４と左右両側の縦桟４５とにより取囲まれて形成されており、上部横桟４３が前記上横枠材３１に設けられた戸車４６によって吊下げられると共に、下横枠材３２に設けられたガイド３５により案内されて、左右に開閉するようになされている。
【００１４】
４７は移動扉４２の左側の縦桟４５の中央部に取付けられた引き手ハンドルであり、引き手が垂直の時は枠体３の左縦枠材３３に左側の縦桟４５がロックされ、引き手を斜めに傾けてロックを解除するようになされている。
【００１５】
開閉扉２の上横枠材３１の上面には、二個の取付溝３６が前後に対向して長手方向に形成されており、その取付溝３６に前後端部が嵌合されて、開閉扉２上に載置される防音パネル６の下部形状に嵌合される形状の嵌合枠部３７が設けられている。
【００１６】
前記防音パネル６の下部形状は、本形態では、「ヘ字」の凹み形状となされ、嵌合枠部３７の上部形状は、この「ヘ字」の凹み形状に嵌合される「ヘ字」の凸形状となされている。尚、前記防音パネル６の下部形状は任意の形状でよく、そして嵌合枠部３７の上部形状は前記防音パネル６の下部形状に嵌合する形状であればよい。
【００１７】
もっとも、前記防音パネル６の下部形状が凹凸の無い平面形状であれば、上横枠材３１の上面も平面形状にすればよい。この場合は、嵌合枠部３７を特に設ける必要はなく、防音パネル６の下部形状が平面以外の場合に嵌合枠部３７を設ければよい。
【００１８】
尚、本形態において、嵌合枠部３７は上横枠材３１に、アルミ押出成型によりそれぞれ別体で作製されたものを嵌合することにより設けているが、作製時に所望の形状に一体でアルミ押出成型したものを用いてもよい。
【００１９】
開閉扉２の左縦枠材３３と右縦枠材３４とがそれぞれ隣り合ったＨ型鋼の支柱５のフランジ５１に挿入され、左右縦枠材３３、３４の背面と支柱５の背面側のフランジ５１との隙間に固定用バネ７が係入されている。そしてこの固定用バネ７により、開閉扉２を支柱５の前面側のフランジ５１の内面に押圧させ、ガタつきを解消している。また、防音パネル６も開閉扉２と同様、それぞれ隣り合ったＨ型鋼の支柱５のフランジ５１に左右端部が挿入されて、開閉扉２上に直接載置され、防音パネル６の背面と支柱５の背面側のフランジ５１との隙間に固定用バネ７が係入され、固定用バネ７により支柱５の前面側のフランジ５１の内面に押圧され、ガタつきを解消している。この時、開閉扉２の上横枠材３１の上面に設けられた嵌合枠部３７の上部が、防音パネル６の下部形状に嵌合するようになされているため、防音パネル６を効率よく且つガタつかせることなく段積み施工することができるのである。
【産業上の利用可能性】
【００２０】
本発明に係る防音壁は、開閉扉の上横枠材に防音パネルを直接載置するので、施工が容易であり、且つ施工時間が短縮できるため、交通量の多い道路の側縁に設置される防音壁として、好適に利用することができる。
【図面の簡単な説明】
【００２１】
【図１】本発明に係る防音壁の実施の一形態を示す正面図である。
【図２】図１の一部省略した縦断面図である。
【図３】図２の部分拡大図である。
【符号の説明】
【００２２】
１      防音壁
２      開閉扉
３      枠体
３１    上横枠材
３２    下横枠材
３３    左縦枠材
３４    右縦枠材
３５    ガイド
３６    取付溝
３７    嵌合枠部
４      扉本体
４１    固定扉
４２    移動扉
４３    上部横桟
４４    下部横桟
４５    縦桟
４６    戸車
４７    引き手ハンドル
５      支柱
５１    フランジ
６      防音パネル
７      固定用バネ
【図１】
2007191977.tif 000003
【図２】
2007191977.tif 000004
【図３】
2007191977.tif 000005